(57)【要約】【課題】マックスポンダユニット間のパスを有効に利用し、主信号の遮断を抑制すること。【解決手段】クロスコネクト再接続制御部３４のバックボード接続監視部３５は、ＯＴＮ＿マックスポンダユニット１１，１２を接続する伝送路４０の使用状態を監視する。ブロードキャスト設定部３６は、ＯＤＵ０×２本で使用されていた伝送路からＯＤＵ０×１本の削除が行なわれた場合に、ＯＤＵ０×１本で使用されている他の伝送路に残りのＯＤＵ０と同一の信号を出力するよう制御した上で、ＯＤＵパスの張り替えを行なう。【選択図】図１
2011176619.tif 000002
【特許請求の範囲】
【請求項１】
光信号のマックスポンダユニット間を並列に接続する複数の伝送路の使用状態を監視する監視部と、
前記監視の結果、前記複数の伝送路のうち２以上の伝送路の伝送速度が最大伝送速度の半分以下となった場合に、前記最大伝送速度の半分以下となった１の伝送路に対する信号出力と同一の信号出力を前記最大伝送速度の半分以下となった他の伝送路に出力するよう前記複数の伝送路への出力を設定する設定部と、
前記１の伝送路と前記他の伝送路への同一の信号出力を開始した後、前記１の伝送路への信号出力を停止するよう前記伝送路への出力を制御する制御部と
を備えたことを特徴とする光信号伝送装置。
【請求項２】
前記マックスポンダユニットは、第１の伝送速度を有する第１の信号と、前記第１の伝送速度の２倍以上の第２の伝送速度を有する第２の信号とを変換する変換部をさらに備え、前記伝送路の最大伝送速度は、前記第２の伝送速度であることを特徴とする請求項１に記載の光信号伝送装置。
【請求項３】
前記マックスポンダユニットは、クライアント側に接続するポートと他の光伝送装置に接続するポートと前記変換部と前記複数の伝送路との間で経路を切り替えるスイッチを備えることを特徴とする請求項２に記載の光信号伝送装置。
【請求項４】
前記変換部は、前記第１の信号２つを前記第２の信号に変換する際に前記第１の信号の位相差を吸収する位相吸収メモリをさらに備えたことを特徴とする請求項２または３に記載の光信号伝送装置。
【請求項５】
前記監視部は、前記第１の信号の追加もしくは削除を行なう場合に前記複数の伝送路の使用状態を取得することを特徴とする請求項１〜４のいずれか一つに記載の光信号伝送装置。
【請求項６】
光信号のマックスポンダユニット間を並列に接続する複数の伝送路の使用状態を監視するステップと、
前記監視の結果、前記複数の伝送路のうち２以上の伝送路の伝送速度が最大伝送速度の半分以下となった場合に、前記最大伝送速度の半分以下となった１の伝送路に対する信号出力と同一の信号出力を前記最大伝送速度の半分以下となった他の伝送路に出力するよう前記複数の伝送路への出力を設定するステップと、
前記１の伝送路と前記他の伝送路への同一の信号出力を開始した後、前記１の伝送路への信号出力を停止するよう前記伝送路への出力を制御するステップと
を含んだことを特徴とする光信号伝送装置の制御方法。
【請求項７】
光信号のマックスポンダユニット間を並列に接続する複数の伝送路の使用状態を監視する手順と、
前記監視の結果、前記複数の伝送路のうち２以上の伝送路の伝送速度が最大伝送速度の半分以下となった場合に、前記最大伝送速度の半分以下となった１の伝送路に対する信号出力と同一の信号出力を前記最大伝送速度の半分以下となった他の伝送路に出力するよう前記複数の伝送路への出力を設定する手順と、
前記１の伝送路と前記他の伝送路への同一の信号出力を開始した後、前記１の伝送路への信号出力を停止するよう前記伝送路への出力を制御する手順と
をコンピュータに実行させることを特徴とする光信号伝送装置の制御プログラム。
【発明の詳細な説明】
【技術分野】
【０００１】
本発明は、光信号伝送装置、光信号伝送装置の制御方法および光信号伝送装置の制御プログラムに関する。
【背景技術】
【０００２】
近年、ITU-T G.709にて規格化されているOTN(Optical Transmission Network)技術が様々な光伝送装置に適用されている。かかる光伝送装置は、クライアントなどが接続されるSONET/SDH（Synchronous Optical NETwork/Synchronous Digital Hierarchy）やEthernet（登録商標）などと接続されるとともに、光伝送装置が相互に接続してネットワークを構成することかできる。
【０００３】
また、SONET/SDHによる通信を行なう装置がクロスコネクトのパスを張り替える際に回線が切断される時間を短縮する技術が知られている。
【先行技術文献】
【特許文献】
【０００４】
【特許文献１】特開２００４−１２９１１１号公報
【特許文献２】特開平８−２２３１５４号公報
【発明の概要】
【発明が解決しようとする課題】
【０００５】
ITU-T G.709では、様々なサービスをもったクライアント側の信号をＯＤＵｋ（ｋ＝０，１）にマッピングした後に用途に応じて様々なポートへ光伝送することを規定している。ＯＤＵ０の伝送速度は１．２Ｇｂｐｓ、ＯＤＵ１の伝送速度は２．４Ｇｂｐｓである。ＯＤＵｋ（ｋ＝０，１）へのマッピングと伝送を行なうマックスポンダ装置では、複数のマックスポンダユニットをＯＤＵ１で接続する場合がある。
【０００６】
各マックスポンダユニットは、２つのＯＤＵ０フレームを１つのＯＤＵ１フレームにマッピングすることでＯＤＵ０をＯＤＵ１に変換する。ＯＤＵ０単位でクロスコネクトパスの追加や削除が行なわれると、マックスポンダユニット間のＯＤＵ１のパスが単独のＯＤＵ０パスによって使用される状態が発生し、パスを有効に利用できない場合があった。
【０００７】
また、ＯＤＵ１のパスをＯＤＵ０が単独で使用し、マックスポンダユニット間のＯＤＵ１のパスが全て使用中の状態になると、新たにマックスポンダユニット間のクロスコネクトを張るには既存のクロスコネクトを一時的に削除し、再接続することとなる。
【０００８】
従来の技術では、このようにマックスポンダ間のクロスコネクトを張り替えが発生した場合に、既存のクロスコネクトを一時的に削除して再接続するために主信号が遮断され、サービスに影響を与えるという問題点があった。
【０００９】
開示の技術は、上記に鑑みてなされたものであって、マックスポンダユニット間のパスを有効に利用し、主信号の遮断を抑制する光信号伝送装置、光信号伝送装置の制御方法および光信号伝送装置の制御プログラムを提供することを目的とする。
【課題を解決するための手段】
【００１０】
本願の開示する光信号伝送装置、光信号伝送装置の制御方法および光信号伝送装置の制御プログラムは、光信号のマックスポンダユニット間を並列に接続する複数の伝送路の使用状態を監視する。開示の装置、方法及びプログラムは、監視の結果、２以上の伝送路の伝送速度が最大伝送速度の半分以下となった場合に、１の伝送路に対する信号出力と同一の信号出力を他の伝送路に出力するよう複数の伝送路への出力を設定する。そして、開示の装置、方法及びプログラムは、１の伝送路と他の伝送路への同一の信号出力を開始した後、１の伝送路への信号出力を停止するよう伝送路への出力を制御する。
【発明の効果】
【００１１】
本願の開示する光信号伝送装置、光信号伝送装置の制御方法および光信号伝送装置の制御プログラムによれば、マックスポンダユニット間のパスを有効に利用し、主信号の遮断を抑制することができるという効果を奏する。
【図面の簡単な説明】
【００１２】
【図１】図１は、実施例にかかる光信号伝送装置の構成図である。
【図２】図２は、本実施例にかかる光伝送装置を用いた波長分割多重ネットワークシステムの構成図である。
【図３】図３は、ＯＴＮ＿マックスポンダユニット１１の説明図である。
【図４】図４は、バックボード接続管理部３３による管理の説明図である。
【図５】図５は、光信号伝送装置１０における伝送路４０の接続構成図である。
【図６】図６は、ＯＤＵ変換部２５が有するＤＥＭＵＸ／ＭＵＸ部の説明図である。
【図７】図７は、スイッチ制御デバイス２２の接続構成図である。
【図８】図８は、同一ユニット内のＯＤＵ１クロスコネクト設定の説明図である。
【図９】図９は、同一ユニット内のＯＤＵ０に対するクロスコネクト設定の説明図である。
【図１０】図１０は、ＯＴＮ＿マックスポンダユニット間のＯＤＵ１クロスコネクト設定の説明図である。
【図１１】図１１は、ＯＴＮ＿マックスポンダユニット間のＯＤＵ０のクロスコネクト設定の説明図である。
【図１２】図１２は、バックボード接続がフル状態となった場合のＯＴＮ＿マックスポンダユニット１１におけるスイッチ制御デバイス２２の接続状態の説明図である。
【図１３】図１３は、バックボード接続がフル状態となった場合のＯＴＮ＿マックスポンダユニット１２におけるスイッチ制御デバイス２２の接続状態の説明図である。
【図１４】図１４は、フル状態からＯＤＵ０単位でクロスコネクト削除した状態のＯＴＮ＿マックスポンダユニット１１におけるスイッチ制御デバイス２２の接続状態の説明図である。
【図１５】図１５は、フル状態からＯＤＵ０単位でクロスコネクト削除した状態のＯＴＮ＿マックスポンダユニット１２におけるスイッチ制御デバイス２２の接続状態の説明図である。
【図１６】図１６は、バックボード接続がフル状態となった場合のＯＴＮ＿マックスポンダユニット１１，１２における伝送路４０の状態の説明図である。
【図１７】図１７は、フル状態からＯＤＵ０単位でクロスコネクト削除した場合の伝送路４０の状態の説明図である。
【図１８】図１８は、クロスコネクト再接続制御部３４による処理の説明図である。
【図１９】図１９は、セレクタの切替の説明図である。
【図２０】図２０は、クロスコネクト再接続制御部３４によるクロスコネクトの張り替えを行なった後の接続図である。
【図２１】図２１は、クロスコネクトの削除ごとに張り替えを行なう場合における接続状態の変化の説明図である。
【図２２】図２２は、クロスコネクトの削除ごとに張り替えを行なった後の接続状態の説明図である。
【図２３】図２３は、空き容量をＯＤＵ１クロスコネクトの追加接続に使用する場合についての説明図である。
【図２４】図２４は、空き容量をＯＤＵ０クロスコネクトの追加接続に使用する場合についての説明図である。
【図２５】図２５は、クロスコネクト再接続制御部３４の処理動作を説明するフローチャートである。
【発明を実施するための形態】
【００１３】
以下に、本願の開示する光信号伝送装置、光信号伝送装置の制御方法および光信号伝送装置の制御プログラムを図面に基づいて詳細に説明する。なお、この実施例は開示の技術を限定するものではない。
【実施例１】
【００１４】
図１は、実施例にかかる光信号伝送装置の構成図である。図２は、本実施例にかかる光伝送装置を用いた波長分割多重（ＷＤＭ:Wavelength Division Multiplexing ）ネットワークシステムの構成図である。図２に示したように本実施例にかかる光伝送装置１０は、互いにＯＴＮフレームを送受信してリング型ネットワークを構成する。ＯＴＮは、ITU-T G.709にて規格化されている。また、光伝送装置１０はSONETやEthernet（登録商標）などと接続する。SONETやEthernet（登録商標）は、図示しないクライアントが接続され、顧客回線サービスを収容するクライアント側ネットワークである。
【００１５】
各光信号伝送装置１０は、クライアント側のポートから入力された様々な種別の信号を、ITU-T G.709にて規定されているＯＤＵｋ（ｋ＝０，１）フレームに装置内でマッピングして、ＯＤＵｋ（ｋ＝０，１）単位でＡＤＭ(Add Drop multiplexer)機能を実現する。
【００１６】
ＯＤＵｋ（ｋ＝０，１）単位のＡＤＭ機能を実現するため、光信号伝送装置１０は、ＯＤＵｋ（ｋ＝０，１）フレームにマッピングした信号と、他の光伝送装置１０に接続したポートや他のクライアントポートとの間でPoint-to-Pointのクロスコネクトを設定する。このクロスコネクトの設定はクロコン設定とも言う。
【００１７】
光信号電装装置１０の内部構成について図１を参照して説明する。光信号伝送装置１０は、ＯＴＮ＿マックスポンダユニット１１，１２と装置監視制御部１３を有する。ＯＴＮ＿マックスポンダユニット１１とＯＴＮ＿マックスポンダユニット１２とは同一の構成を有するので、ＯＴＮ＿マックスポンダユニット１１の構成について詳細に説明し、ＯＴＮ＿マックスポンダユニット１２については説明を省略する。
【００１８】
マックスポンダユニット１１は、マッピング処理部２１、スイッチ制御デバイス２２、ネットワークインタフェース２３、１０Ｇ光モジュール２４およびＯＤＵ変換部２５を有する。
【００１９】
マッピング処理部２１は、クライアント側のポートから入力された様々な種別のクライアント信号４１を、ＯＤＵ０とＯＤＵ１のいずれかのフレームに装置内でマッピングする。また、クライアント側のポートに出力する信号をＯＤＵｋ（ｋ＝０，１）フレームからデマッピングし、出力先のポートの信号の種別に変換して出力する。
【００２０】
ＯＤＵ変換部２５は、ＯＤＵ０とＯＤＵ１との間での変換を行なう。ネットワークインタフェース２３は、４本のＯＤＵ１パスを１本のＯＴＵ２（Optical channel Transport Unit 2）に変換し、１０Ｇ光モジュール２４に出力する。また、ネットワークインタフェース２３は、１０Ｇ光モジュールから入力された１本のＯＴＵ２を４本のＯＤＵ１パスに変換し、スイッチ制御デバイス２２に出力する。
【００２１】
１０Ｇ光モジュール２４は、ネットワークインタフェース２３が出力したＯＴＵ２をネットワーク信号４３として他の光信号伝送装置１０に送信する。また、１０Ｇ光モジュール２４は、他の光信号伝送装置１０から受信したネットワーク信号４３をネットワークインタフェース２３に出力する。
【００２２】
スイッチ制御デバイス２２は、マッピング処理部２１、ＯＤＵ変換部２５、ネットワークインタフェース２３、他のＯＴＮ＿マックスポンダユニットとの間でクロスポイント接続を行なうスイッチである。スイッチ制御デバイス２２とマッピング処理部２１との間の接続は、ＯＤＵ０とＯＤＵ１とが混在する。スイッチ制御デバイス２２とＯＤＵ変換部２５との間には、ＯＤＵ０とＯＤＵ１の双方の接続を行なう。スイッチ制御デバイス２２とネットワークインタフェース２３との間の接続は、ＯＤＵ１で行なう。スイッチ制御デバイス２２と他のＯＴＮ＿マックスポンダとの間の接続は、ＯＤＵ１で行なう。
【００２３】
ＯＴＮ＿マックスポンダユニット１１とＯＴＮマックスポンダユニット１２との間は光伝送装置１０のバックボードに設けた伝送路４０によって接続する。この伝送路４０によるＯＴＮ＿マックスポンダユニット１１とＯＴＮマックスポンダユニット１２との通信接続をバックボード接続という。
【００２４】
ＯＴＮ＿マックスポンダユニット１２は、バックボード接続を経由することでＯＴＮマックスポンダユニット１１のクライアント信号４１とネットワーク信号４３を送受信することができる。同様に、ＯＴＮ＿マックスポンダユニット１１は、バックボード接続を経由することでＯＴＮマックスポンダユニット１２のクライアント信号４２とネットワーク信号４４を送受信することができる。
【００２５】
このように、光信号伝送装置１０は、互いに接続された複数のＯＴＮ＿マックスポンダユニットを備え、複数のＯＴＮ＿マックスポンダユニットはそれぞれがクライアント信号とネットワーク信号を送受信する。このように接続した状態が、マックスポンダユニットを並列に接続した状態である。
【００２６】
本実施例では、光信号伝送装置１０の中に２つのＯＴＮ＿マックスポンダユニットを並列接続した構成について説明を行なうが、３以上のＯＴＮ＿マックスポンダユニットを並列接続する構成としても良い。また、異なる光信号伝送装置１０が有するマックポンダユニットを並列接続する構成であっても良い。
【００２７】
また、光信号伝送装置１０が有するＯＴＮ＿マックスポンダユニットが２つである場合、一方をセルフ（ＳＥＩＦ）８ユニット、他方をペア（ＰＡＩＲ）ユニットという。例えば、ＯＴＮ＿マックスポンダユニット１１がセルフユニットであれば、ＯＴＮ＿マックスポンダユニット１２がペアユニットとなる。
【００２８】
装置監視制御部１３は、光信号伝送装置１０の動作の監視と制御を行なう。装置監視制御部１３は、ユーザインタフェース３１、クロスコネクト接続形態解析部３２、バックボード接続管理部３３及びクロスコネクト再接続制御部３４を有する。
【００２９】
ユーザインタフェース３１は、保守などを行なう操作者からクロスコネクト設定情報の入力を受け付け、クロスコネクト接続形態解析部３２に通知するインタフェースである。クロスコネクト設定情報は、From_Port情報、To_Port情報、ODU1 or ODU0クロスコネクト設定などを含む。クロスコネクト接続形態解析部３２は、クロスコネクト設定情報に基づいてＯＴＮ＿マックスポンダユニット１１，１２のスイッチ制御デバイスに対してクロスポイントの切替制御を行なう。
【００３０】
バックボード接続管理部３３は、バックボード接続の利用状態を管理する。クロスコネクト再接続制御部３４は、バックボード接続管理部３３からバックボード接続の利用状態を取得し、バックボード接続のクロスコネクトの張替えを行なう。
【００３１】
クロスコネクト再接続制御部３４は、バックボード接続監視部３５、ブロードキャスト設定部３６及びセレクタ制御部３７を有する。バックボード接続監視部３５は、バックボード接続管理部３３から伝送路４０の使用状態を取得して監視する監視部である。
【００３２】
ブロードキャスト設定部３６は、バックボード接続監視部３５による監視の結果に基づいて伝送路４０への出力を設定する設定部である。具体的には、ブロードキャスト設定部３６は、伝送路４０のうち２以上の伝送路の伝送速度が最大伝送速度の半分以下となった場合に、当該伝送路に対する信号出力と同一の信号出力を最大伝送速度の半分以下となった他の伝送路に出力させる。このように、複数の伝送路に同一の信号出力を行なうことを本明細書ではブロードキャストという。
【００３３】
セレクタ制御部３７は、最大伝送速度の半分以下となった伝送路に対する同一の信号出力が開始された後、元の伝送路への信号出力を停止するよう伝送路４０への出力を制御する制御部である。
【００３４】
このように光信号伝送装置１０は、クロスコネクト再接続制御部３４がバックボード接続の利用状態を監視し、最大伝送速度の半分以下となった伝送路が複数ある場合には、バックボード接続のクロスコネクトを張り替える。このため、に光信号伝送装置１０は、マックスポンダユニット間のパスを有効に利用することができる。また、バックボード接続のクロスポイント張替えの際には、伝送路を移動させる信号と同一の信号を移動先の伝送路に出力した後、元の信号を停止するので、主信号の遮断を抑制することができる。
【００３５】
図３は、ＯＴＮ＿マックスポンダユニット１１の説明図である。図３に示したように、マッピング処理部２１は、クライアント信号４１のポートごとにＳＦＰ（small form factor pluggable）とODUk_Mapper/DeMapper処理部を有する。ＳＦＰは、光信号を電気信号に変換するモジュールである。ODUk_Mapper/DeMapper処理部は、入力されたクライアント信号のＯＤＵｋへのマッピングと出力するＯＤＵｋのクライアント信号へのデマッピングを行なう。
【００３６】
入力されるクライアント信号の種別は、ＯＣ３、ＯＣ１２、ＯＣ４８、１ＧＢＥ、ＯＴＵ１などである。ODUk_Mapper/DeMapper処理部は、クライアント信号の伝送速度（Rate）に応じて、ITU-T G.709に沿った形式でマッピング及びデマッピングを行なう。
【００３７】
具体的には、ODUk_Mapper/DeMapper処理部は、ＯＣ３をＯＤＵ０（1.244Gbps）にマッピング及びデマッピングする。ODUk_Mapper/DeMapper処理部は、ＯＣ１２をＯＤＵ１(2.498Gbps)にマッピング及びデマッピングする。ODUk_Mapper/DeMapper処理部は、ＯＣ４８をＯＤＵ１(2.498Gbps)にマッピング及びデマッピングする。ODUk_Mapper/DeMapper処理部は、ＯＴＵ１をＯＤＵ０×２本をMuxした形式として2.498GbpsのＯＤＵ１にマッピング及びデマッピングする。ODUk_Mapper/DeMapper処理部は、１ＧｂＥをＯＤＵ０（1.244Gbps）にマッピング及びデマッピングする。
【００３８】
マッピング処理部２１は、クライアント信号をＯＤＵ１もしくはＯＤＵ０にそれぞれマッピングする。スイッチ制御デバイス２２は、ＯＤＵ１とＯＤＵ０単位でクロスコネクトを張る。スイッチ制御デバイス２２へのクロスコネクト設定は、装置監視制御部１３によって行なわれる。この装置監視制御部１３は、一例としてファームウェアであってもよい。装置監視制御部１３がファームウェアである場合は、演算装置が光信号伝送装置の制御プログラムを実行することで、装置監視制御部１３の各処理を実現する。
【００３９】
スイッチ制御デバイス２２は、クライアント信号とのインタフェースとしてＣＬ＿ＩＮＦを有し、８本のクライアント信号を入出力する。また、スイッチ制御デバイス２２は、ネットワークインタフェース２３とのインタフェースとしてＮＷ＿ＩＮＦを有し、４本のＯＤＵ１伝送路で接続される。また、スイッチ制御デバイス２２は、ＯＤＵ変換部２５とのインタフェースとしてＤＥＭＵＸ＿ＩＮＦとＭＵＸ＿ＩＮＦを有する。
【００４０】
ネットワークインタフェース２３は、４本のＯＤＵ１信号と１つのＯＴＵ２信号との間でマッピングとデマッピングを行なう。
【００４１】
ＯＤＵ変換部２５は、ＤＥＭＵＸ＿ＩＮＦから入力された１本のＯＤＵ１を２本のＯＤＵ０にＤＥＭＵＸし、ＤＥＭＵＸ＿ＩＮＦを介してスイッチ制御デバイス２２に返す。また、ＯＤＵ変換部２５は、ＭＵＸ＿ＩＮＦから入力された２本のＯＤＵ０を１本のＯＤＵ１にＭＵＸし、ＭＵＸ＿ＩＮＦを介してスイッチ制御デバイス２２に返す。
【００４２】
クライアント信号の種別の１つであるＯＴＵ１は、ITU-T G.709規格より２つのＯＤＵ０をＭＵＸすることが可能である。この場合、ユニット内ではＯＤＵ０単位で２本のクロスコネクトを張ることとなる。ＯＴＵ１信号をＯＤＵ０×２本にＤＥＭＵＸ、もしくはＯＴＵ１＿Ｐｏｒｔを出力側として送信する場合はＯＤＵ０×２本をＭＵＸするため、ＯＤＵｋのＭＵＸ／ＤＥＭＵＸ処理部をクライアント側用とネットワーク側用に設ける。例えば、クライアント信号の種別がＯＴＵ１でＯＤＵ０クロスコネクトを張る場合は、ＯＤＵ変換部２５でＯＤＵ１をＯＤＵ０×２本にＤＥＭＵＸする。加えて、ＯＤＵ変換部２５は、バックボード接続用のＤＥＭＵＸ／ＭＵＸ部を有する。ＯＤＵ変換部２５の接続形態の詳細については後述する。
【００４３】
図４は、バックボード接続管理部３３による管理の説明図である。バックボード接続用の伝送路４０は、８本の伝送路ＢＷＢ＃１〜８を有する。バックボード接続管理部３３は、各伝送路について使用状況と用途の情報を保持する。使用状況は、当該伝送路を使用中であるか否かを示す情報である。用途は、当該伝送路をＯＤＵ１、ＯＤＵ０×１本、ＯＤＵ０×２本のいずれで使用しているかを示す情報である。
【００４４】
各伝送路は、ＯＤＵ１クロスコネクトか、またはＯＤＵ０クロスコネクトを接続する場合、ＯＤＵ０／ＯＤＵ１の両方のクロスコネクト形態をサポートする為、最大でＯＤＵ１（2.4Gbps）の伝送速度（Rate）を有する。ＯＤＵ０クロスコネクトを張る場合、ＯＤＵ１の伝送であっても信号伝送は可能となるが、ＯＤＵ０単位でクロスコネクトを張ることとなり、伝送路を２本使用する。このため、伝送路の容量に応じた効率良いユニット間通信ができない。
【００４５】
そこで、光信号伝送装置１０は、ＯＤＵｋのＭＵＸ／ＤＥＭＵＸ処理部をバックボード接続用にも実装する。このため、ＯＤＵ０クロスコネクトの場合、ＯＤＵ０×２本をＯＤＵ１にＭＵＸし、ＯＤＵ１をＯＤＵ０×２本にＤＥＭＵＸするので、効率良いユニット間伝送を実現することができる。
【００４６】
図５は、光信号伝送装置１０における伝送路４０の接続構成図である。伝送路４０に含まれる８本の伝送路４０＿１〜４０＿８は、配線ＢＷＢ＃１〜８に対応する。伝送路４０＿１〜４０＿８は、ＯＤＵ１についてはそのまま伝送する。そして、ＯＤＵ０についてはＯＤＵ１にＭＵＸして伝送し、伝送後にＤＥＭＵＸされてＯＤＵ１に戻す。
【００４７】
ここで、バックボード接続は光信号伝送装置１０内部の接続であるため、操作者からは「どの伝送路をクロスコネクトにて使用するか」は設定されない。このため、装置監視制御部１３がクライアント信号４１やネットワーク信号４３のポートと伝送路４０のいずれかのポートとのクロスコネクトにおけるパス接続の決定や管理を行なう。
【００４８】
図６は、ＯＤＵ変換部２５が有するＤＥＭＵＸ／ＭＵＸ部の説明図である。ＤＥＭＵＸ／ＭＵＸ部は、Descramble回路５１、ＯＵＤ１受信部５２、ＤＭＸ回路５３、ＯＵＤ０送信部５４，５５、Scramble回路５６，５７を有する。また、ＤＥＭＵＸ／ＭＵＸ部は、経路切替部６０、Descramble回路６１，６２、ＯＵＤ０受信部６３，６４、ＭＵＸ回路６５、ＯＵＤ１送信部６６、Scramble回路６７を有する。
【００４９】
ＤＥＭＵＸ／ＭＵＸ部は、ＯＤＵ１をDescramble回路５１に入力してデスクランブルした後、ＯＵＤ１受信部５２で受信する。受信したＯＤＵ１は、ＤＭＸ回路５３によるＤＥＭＵＸで２本のＯＤＵ０となり、ＯＵＤ０送信部５４とＯＵＤ０送信部５５でそれぞれ送信される。ＯＵＤ０送信部５４が送信したＯＤＵ０は、Scramble回路５６によってスクランブルされて、スイッチ制御デバイス２２に送られる。ＯＵＤ０送信部５５が送信したＯＤＵ０は、Scramble回路５７によってスクランブルされて、スイッチ制御デバイス２２に送られる。
【００５０】
また、ＤＥＭＵＸ／ＭＵＸ部は、ＯＤＵ０を経路切替部６０に入力した後、Descramble回路６１，６２に入力する。ＯＤＵ０のDescramble回路を２つ有することで、ＤＥＭＵＸ／ＭＵＸ部は２本のＯＤＵ０を同時にデスクランブル可能である。Descramble回路６１がDescrambleしたＯＤＵ０は、ＯＤＵ０受信部６３によって受信される。Descramble回路６２がDescrambleしたＯＤＵ０は、ＯＤＵ０受信部６４によって受信される。
【００５１】
ＯＤＵ０受信部６３が受信したＯＤＵ０とＯＤＵ０受信部６４が受信したＯＤＵ０は、ＭＵＸ回路６５によってＭＵＸされて、ＯＤＵ１送信部６６から送信される。ＯＤＵ１送信部６６が送信したＯＤＵ１は、Scramble回路６７によってスクランブルされて、スイッチ制御デバイス２２に送られる。
【００５２】
経路切替部６０は、セレクタ７１，７２、位相吸収メモリ７３〜７６を有する。セレクタ７１は、２本のＯＤＵ０のうち１本を選択してDescramble回路６１に入力する。セレクタ７２は、２本のＯＤＵ０のうち１本を選択してDescramble回路６２に入力する。
【００５３】
セレクタ７１に入力される２本のＯＤＵ０のうち、一方は運用時に使用する信号である。他方は、バックボート接続の張替え時のブロードキャストに使用する信号である。すなわち、バックボード接続を張り替える場合には、運用系のＯＤＵ０と同一の信号を予備系のＯＤＵ０に入力し、同一の信号がセレクタ７１に入力された状態でセレクタ７１を切り替える。このため、バックボード接続を張り替える際の主信号の遮断を抑制することができる。セレクタ７２も同様に、運用系のＯＤＵ０と予備系のＯＤＵ０に同一の信号が入力された状態で切り替える。
【００５４】
運用系のＯＤＵ０と予備系のＯＤＵ１との信号の間に位相差が発生した場合に位相差の吸収を行なうのが位相吸収メモリ７３〜７６である。位相吸収メモリ７３は、セレクタ７１に入力される２本のＯＤＵ０のうち、運用系のＯＤＵ０の位相を吸収する。位相吸収メモリ７４は、セレクタ７１に入力される２本のＯＤＵ０のうち、予備系のＯＤＵ０の位相を吸収する。位相吸収メモリ７５は、セレクタ７２に入力される２本のＯＤＵ０のうち、運用系のＯＤＵ０の位相を吸収する。位相吸収メモリ７６は、セレクタ７２に入力される２本のＯＤＵ０のうち、予備系のＯＤＵ０の位相を吸収する。
【００５５】
セレクタ７１，７２及び位相吸収メモリ７３〜７６の動作は、セレクタ制御部３７によって制御される。
【００５６】
図６に示した構成は、ＯＤＵ変換部２５が有するＤＥＭＵＸ／ＭＵＸ部のうち、バックボード接続用のＤＥＭＵＸ／ＭＵＸ部の構成である。ＯＤＵ変換部２５が有するクライアント側用のＤＥＭＵＸ／ＭＵＸ部とネットワーク側用のＤＥＭＵＸ／ＭＵＸ部は、経路切替部６０を省略することができる。
【００５７】
図７は、スイッチ制御デバイス２２の接続構成図である。スイッチ制御デバイス２２は、クライアント信号とのインタフェースであるＣＬ＿ＩＮＦに接続用のピンを１６本有する。ＣＬ＿ＩＮＦに含まれるピンのうち、ＣＬ＿ＲＸ１〜８は、クライアント側からスイッチ制御デバイス２２への入力用のピンであり、ＯＤＵ１またはＯＤＵ０である。ＣＬ＿ＩＮＦに含まれるピンのうち、ＣＬ＿ＴＸ１〜８は、スイッチ制御デバイス２２からクライアント側への出力用のピンであり、ＯＤＵ１またはＯＤＵ０である。
【００５８】
スイッチ制御デバイス２２は、ネットワーク側へのインタフェースであるＮＷ＿ＩＮＦに接続用のピンを８本有する。ＮＷ＿ＩＮＦに含まれるピンのうち、ＬＩ＿ＴＸ１〜４は、スイッチ制御デバイス２２からネットワーク側への出力用のピンであり、ＯＤＵ１である。ＮＷ＿ＩＮＦに含まれるピンのうち、ＴＩ＿ＲＸ１〜４は、ネットワーク側からスイッチ制御デバイス２２への入力用のピンであり、ＯＤＵ１である。
【００５９】
スイッチ制御デバイス２２は、バックボート接続用のインタフェースであるＢＷＢ＿ＩＮＦに接続用のピンを１６本有する。ＢＷＢ＿ＩＮＦに含まれるピンのうち、ＢＷＢ＿ＲＸ１〜８は、スイッチ制御デバイス２２からバックボード側、即ち伝送路４０への出力用のピンであり、ＯＤＵ１である。ＢＷＢ＿ＩＮＦに含まれるピンのうち、ＢＷＢ＿ＴＸ１〜４は、バックボード接続側、即ち伝送路４０からスイッチ制御デバイス２２への入力用のピンであり、ＯＤＵ１である。
【００６０】
スイッチ制御デバイス２２は、クライアント用のＤＥＭＵＸ／ＭＵＸ部へのインタフェースであるＣＬ＿ＤＥＭＵＸ／ＣＬ＿ＭＵＸ  ＩＮＦに接続用のピンを４８本有する。ＣＬ＿ＤＥＭＵＸ／ＣＬ＿ＭＵＸ  ＩＮＦに含まれるピンのうち、ＣＬ＿ＤＭＸ＿ＴＸ１〜８は、スイッチ制御デバイス２２からクライアント用のＤＥＭＵＸへの出力用のピンであり、ＯＤＵ１である。ＣＬ＿ＤＥＭＵＸ／ＣＬ＿ＭＵＸ  ＩＮＦに含まれるピンのうち、ＣＬ＿ＤＭＸ＿ＲＸ１〜１６は、クライアント用のＤＥＭＵＸからスイッチ制御デバイス２２への入力用のピンであり、ＯＤＵ０である。
【００６１】
ＣＬ＿ＤＥＭＵＸ／ＣＬ＿ＭＵＸ  ＩＮＦに含まれるピンのうち、ＣＬ＿ＭＸ＿ＴＸ１〜１６は、スイッチ制御デバイス２２からクライアント用のＭＵＸへの出力用のピンであり、ＯＤＵ０である。ＣＬ＿ＤＥＭＵＸ／ＣＬ＿ＭＵＸ  ＩＮＦに含まれるピンのうち、ＣＬ＿ＭＸ＿ＲＸ１〜８は、クライアント用のＭＵＸからスイッチ制御デバイス２２への入力用のピンであり、ＯＤＵ１である。
【００６２】
スイッチ制御デバイス２２は、ネットワーク用のＤＥＭＵＸ／ＭＵＸ部へのインタフェースであるＮＷ＿ＤＥＭＵＸ／ＮＷ＿ＭＵＸ  ＩＮＦに接続用のピンを２４本有する。ＮＷ＿ＤＥＭＵＸ／ＮＷ＿ＭＵＸ  ＩＮＦに含まれるピンのうち、ＮＷ＿ＤＭＸ＿ＴＸ１〜４は、スイッチ制御デバイス２２からネットワーク用のＤＥＭＵＸへの出力用のピンであり、ＯＤＵ１である。ＮＷ＿ＤＥＭＵＸ／ＮＷ＿ＭＵＸ  ＩＮＦに含まれるピンのうち、ＮＷ＿ＤＭＸ＿ＲＸ１〜８は、ネットワーク用のＤＥＭＵＸからスイッチ制御デバイス２２への入力用のピンであり、ＯＤＵ０である。
【００６３】
ＮＷ＿ＤＥＭＵＸ／ＮＷ＿ＭＵＸ  ＩＮＦに含まれるピンのうち、ＮＷ＿ＭＸ＿ＴＸ１〜８は、スイッチ制御デバイス２２からネットワーク用のＭＵＸへの出力用のピンであり、ＯＤＵ０である。ＮＷ＿ＤＥＭＵＸ／ＮＷ＿ＭＵＸ  ＩＮＦに含まれるピンのうち、ＮＷ＿ＭＸ＿ＲＸ１〜４は、ネットワーク用のＭＵＸからスイッチ制御デバイス２２への入力用のピンであり、ＯＤＵ１である。
【００６４】
スイッチ制御デバイス２２は、バックボード接続用のＤＥＭＵＸ／ＭＵＸ部へのインタフェースであるＢＷＢ＿ＤＥＭＵＸ／ＢＷＢ＿ＭＵＸ  ＩＮＦに接続用のピンを４８本有する。ＢＷＢ＿ＤＥＭＵＸ／ＢＷＢ＿ＭＵＸ  ＩＮＦに含まれるピンのうち、ＢＷＢ＿ＤＭＸ＿ＴＸ１〜８は、スイッチ制御デバイス２２からバックボード用のＤＥＭＵＸへの出力用のピンであり、ＯＤＵ１である。ＢＷＢ＿ＤＥＭＵＸ／ＢＷＢ＿ＭＵＸ  ＩＮＦに含まれるピンのうち、ＢＷＢ＿ＤＭＸ＿ＲＸ１〜１６は、バックボード用のＤＥＭＵＸからスイッチ制御デバイス２２への入力用のピンであり、ＯＤＵ０である。
【００６５】
ＢＷＢ＿ＤＥＭＵＸ／ＢＷＢ＿ＭＵＸ  ＩＮＦに含まれるピンのうち、ＢＷＢ＿ＭＸ＿ＴＸ１〜１６は、スイッチ制御デバイス２２からバックボード用のＭＵＸへの出力用のピンであり、ＯＤＵ０である。ＢＷＢ＿ＤＥＭＵＸ／ＢＷＢ＿ＭＵＸ  ＩＮＦに含まれるピンのうち、ＢＷＢ＿ＭＸ＿ＲＸ１〜８は、バックボード用のＭＵＸからスイッチ制御デバイス２２への入力用のピンであり、ＯＤＵ１である。
【００６６】
図８〜図１１に、同一ユニット内のＯＤＵ１とＯＤＵ０クロスコネクトの接続方法、並びにユニット間のＯＤＵ１とＯＤＵ０クロスコネクト接続例を示す。
【００６７】
図８は、同一ユニット内のＯＤＵ１クロスコネクト設定の説明図である。図８に示した例では、操作者からFrom_Port、To_Port及びＯＤＵを指定するクロスコネクト情報を受信した装置監視制御部１３は、ユニット内のクロスコネクト設定を実施した状態を示している。
【００６８】
図８の例では、クロスコネクト情報は、ＯＴＮ＿マックスポンダユニット１１を搭載したスロットであるSLOT#AのCL_#3（OC48)からSLOT#Aのネットワーク側にＯＤＵ１クロスコネクト設定を張ることを示している。
【００６９】
具体的には、装置監視制御部１３は、操作者に指定されたFrom_Port=SLOT#A_CL_RX#3（OC48）、To_Port=SLOT#A_NW_3（OTU2）に対して、ODU1のクロスコネクト設定を実施する。
【００７０】
装置監視制御部１３は、受信したクロスコネクト設定から自ユニット内でのクロスコネクトの指示があったと認識し、スイッチ制御デバイス２２のCL_RX#3とLI_TX_#3との間を接続する。このクロスコネクトは、ＯＴＮ＿マックスポンダユニット１１の内部で行なわれるので、ＯＴＮ＿マックスポンダ１２に対する接続の制御やバックボード接続の制御は行なわれない。また、クライアント信号がＯＣ４８であり、マッピング処理部２１によってＯＤＵ１にマッピングされるので、ＯＤＵ変換部２５による変換も行なわれない。
【００７１】
図９は、同一ユニット内のＯＤＵ０に対するクロスコネクト設定の説明図である。装置制御監視処理１３は、操作者から指定されたFrom_Port／To_Port並びクライアント信号種別に基づき、必要に応じてＭＵＸ／ＤＥＭＵＸ処理部とのクロスコネクト設定を実施する。
【００７２】
図９の例では、クロスコネクト情報は、SLOT#AのCL_#7（OTU1)からSLOT#Aのネットワーク側にＯＤＵ０のクロスコネクトを張ることを示している。
【００７３】
具体的には、装置監視制御部１３は、操作者に指定されたFrom_Port=SLOT#A_CL_RX#7（OTU1）、To_Port=SLOT#A_NW_4（OTU2）に対して、ＯＤＵ０のクロスコネクト設定を実施する。
【００７４】
装置監視制御部１３は、受信したクロスコネクト設定から自ユニット内でのクロスコネクトの指示があったと認識する。また、装置監視制御部１３は、クライアント信号がＯＴＵ１であるため、クライアント信号を一旦ＯＤＵ×２本にＤＥＭＵＸしたうえでＭＵＸしてＯＤＵ１にする。
【００７５】
このため、装置監視制御部１３は、図９の（１）に示したように、CL_RX_#7とCL_ODUk__DEMUX_INPUTを接続してクライアント信号をＤＥＭＵＸ回路に入力する。また、装置監視制御部１３は、図９の（２）に示したようにCL_ODUk_DEMUX_OUTPUTとNW_ODUk_MUX_INPUTを接続して、ＤＥＭＵＸ回路の出力として得られた２本のＯＤＵ０をＭＵＸ回路に渡す。そして、装置監視制御部１３は、図９の（３）に示したようにNW_ODUk_MUX_OUTPUTとLI_TXとを接続して、ＭＵＸ回路の出力として得られた１本のＯＤＵ１をネットワークインタフェースに渡す。
【００７６】
図１０は、ＯＴＮ＿マックスポンダユニット間のＯＤＵ１クロスコネクト設定の説明図である。図１０に示したように、クロスコネクト情報に示されたFrom_PortのＯＴＮ＿マックスポンダユニットとTo_PortのＯＴＮ＿マックスポンダユニットとが異なる場合、装置制御監視処理１３は、未使用となっている伝送経路４０のうち未使用のパスを取得し、ＯＤＵ１クロスコネクト設定を実施する。
【００７７】
図１０の例では、クロスコネクト情報は、ＯＴＮ＿マックスポンダユニット１１が挿入されたSLOT#AのCL_#1（OC48)をFrom_Portとして指定し、ＯＴＮ＿マックスポンダユニット１２が挿入されたSLOT#BのNW側_ODU#1（OTU2）をTo Portと指定したＯＤＵ１のクロスコネクトを示している。
【００７８】
装置監視制御部１３は、クロスコネクト情報からＯＴＮ＿マックスポンダユニット間の接続が求められていることを認識し、ＯＴＮ＿マックスポンダユニット１１とＯＴＮ＿マックスポンダユニット１２に対してそれぞれのクロスコネクト設定を実施する。
【００７９】
具体的には、装置監視制御部１３は、ＯＴＮ＿マックスポンダユニット１１に対し、From：CL_RX#1、To：BWB_TX_1を指定する。なお、操作者からはバックボード接続のクロスコネクト設定は指定されないので、装置制御監視制御部１３がバックボード接続に使用する伝送路を決定する。
【００８０】
同様に、装置監視制御部１３は、ＯＴＮ＿マックスポンダユニット１２に対し、From：BWB_RX#1、To：LI_TX_1を指定する。なお、操作者からはバックボード接続のクロスコネクト設定は指定されないので、装置制御監視制御部１３がバックボード接続に使用する伝送路を決定する。
【００８１】
図１１は、ＯＴＮ＿マックスポンダユニット間のＯＤＵ０のクロスコネクト設定の説明図である。図１１に示したように、クロスコネクト情報に示されたFrom_PortのＯＴＮ＿マックスポンダユニットとTo_PortのＯＴＮ＿マックスポンダユニットとが異なる場合、装置制御監視処理１３は、未使用となっている伝送経路４０のうち未使用のパスを取得し、ＯＤＵ１クロスコネクト設定を実施する。また、装置監視制御部１３は、クライアント信号がＯＴＵ１であるため、クライアント信号を一旦ＯＤＵ×２本にＤＥＭＵＸしたうえでＭＵＸしてＯＤＵ１とし、バックボード接続する。
【００８２】
図１１に示した例では、SLOT#Aに挿入したＯＴＮ＿マックスポンダユニット１１のCL_#8(種別:OTU1）からSLOT#Bに挿入したＯＴＮ_マックスポンダユニット１２のCL_#6(種別:OTU1）にＯＤＵ０クロスコネクトを張る場合を示している。
【００８３】
保守者が入力したクロスコネクト情報は、From_Port=SLOT#A_CL_RX#8（OTU1）、To_Port=SLOT#B_CL_RX#6（OTU2）に対して、ODU0のクロスコネクトを指定する。
【００８４】
装置監視制御部１３は、クロスコネクト情報からＯＴＮ＿マックスポンダユニット間のクロスコネクト設定の指示があったと認識し、ＯＴＮ＿マックスポンダユニット１１，１２に対して、それぞれのクロスコネクト設定を実施する。
【００８５】
具体的には、装置監視制御部１３は、ＯＴＮ＿マックスポンダユニット１１に対し、図１１の（１）に示したようにFrom：CL_RX_#8、To：CL_ODUk_DEMUX_INPUT、ＯＤＵ１を指定する。また、装置監視制御部１３は、ＯＴＮ＿マックスポンダユニット１１に対し、図１１の（２）に示したようにFrom：CL_ODUk_DEMUX_OUTPUT、To：BWB_ODUk_MUX_INPUT、ＯＤＵ０を指定する。また、装置監視制御部１３は、ＯＴＮ＿マックスポンダユニット１１に対し、図１１の（３）に示したようにFrom：BWB_ODUk_MUX_OUTPUT、To：BWB_TX、ＯＤＵ１を指定する。なお、操作者からはバックボード接続のクロスコネクト設定は指定されないので、装置制御監視制御部１３がバックボード接続に使用する伝送路を決定する。
【００８６】
同様に、装置監視制御部１３は、ＯＴＮ＿マックスポンダユニット１２に対し、図１１の（４）に示したようにFrom：BWB_RX、To：BWB_ODUk_DEMUX_INPUT、ＯＤＵ１を指定する。また、装置監視制御部１３は、ＯＴＮ＿マックスポンダユニット１２に対し、図１１の（５）に示したようにFrom：BWB_ODUk_DEMUX_OUTPUT、To：CL_ODUk_MUX_INPUT、ＯＤＵ０を指定する。また、装置監視制御部１３は、ＯＴＮ＿マックスポンダユニット１２に対し、図１１の（６）に示したようにFrom：CL_ODUk_MUX_OUTPUT、To：CL_TX_#6、ＯＤＵ１を指定する。なお、操作者からはバックボード接続のクロスコネクト設定は指定されないので、装置制御監視制御部１３がバックボード接続に使用する伝送路を決定する。
【００８７】
バックボード接続に余剰が発生する状態について図１２〜図１５を参照して説明する。バックボード接続の余剰は、一例として、伝送路４０が全てバックボード接続に使用されたフル状態となった後、ＯＤＵ０単位でクロスコネクト削除した場合に発生する。
【００８８】
図１２は、バックボード接続がフル状態となった場合のＯＴＮ＿マックスポンダユニット１１におけるスイッチ制御デバイス２２の接続状態の説明図である。図１３は、バックボード接続がフル状態となった場合のＯＴＮ＿マックスポンダユニット１２におけるスイッチ制御デバイス２２の接続状態の説明図である。
【００８９】
図１２及び図１３に示したフル状態では、図１２及び図１３の（１）に示したように、ＯＴＮ＿マックスポンダユニット１１のCL_PORT(CL_RX1）がPort種別:OTU1で、ＯＴＮ＿マックスポンダユニット１２のNW_PortにＯＤＵ０でクロスコネクト接続されている。この接続は、ＯＤＵ０×２本のクロスコネクトである。
【００９０】
また、図１２及び図１３の（２）に示したように、ＯＴＮ＿マックスポンダユニット１１のCL_PORT(CL_RX2）がPort種別:OTU1で、ＯＴＮ＿マックスポンダユニット１２のNW_PortにＯＤＵ０でクロスコネクト接続されている。この接続は、ＯＤＵ０×２本のクロスコネクトである。
【００９１】
また、図１２及び図１３の（３）に示したように、ＯＴＮ＿マックスポンダユニット１１のCL_PORT(CL_RX3）がPort種別:OTU1で、ＯＴＮ＿マックスポンダユニット１２のNW_PortにＯＤＵ０でクロスコネクト接続されている。この接続は、ＯＤＵ０×２本のクロスコネクトである。
【００９２】
また、図１２及び図１３の（４）に示したように、ＯＴＮ＿マックスポンダユニット１１のCL_PORT(CL_RX4）がPort種別:OTU1で、ＯＴＮ＿マックスポンダユニット１２のNW_PortにＯＤＵ０でクロスコネクト接続されている。この接続は、ＯＤＵ０×２本のクロスコネクトである。
【００９３】
また、図１２及び図１３の（５）に示したように、ＯＴＮ＿マックスポンダユニット１１のNW_PORT(LI_RX1）がPort種別:OTU1で、ＯＴＮ＿マックスポンダユニット１２のCL_Port(Port1)にＯＤＵ０でクロスコネクト接続されている。この接続は、ＯＤＵ０×１本のクロスコネクトである。
【００９４】
また、図１２及び図１３の（６）に示したように、ＯＴＮ＿マックスポンダユニット１１のNW_PORT(LI_RX2）がPort種別:OTU1で、ＯＴＮ＿マックスポンダユニット１２のCL_Port(Port2)にＯＤＵ０でクロスコネクト接続されている。この接続は、ＯＤＵ０×１本のクロスコネクトである。
【００９５】
また、図１２及び図１３の（７）に示したように、ＯＴＮ＿マックスポンダユニット１１のNW_PORT(LI_RX3）がPort種別:OTU1で、ＯＴＮ＿マックスポンダユニット１２のCL_Port(Port3)にＯＤＵ０でクロスコネクト接続されている。この接続は、ＯＤＵ０×１本のクロスコネクトである。
【００９６】
また、図１２及び図１３の（８）に示したように、ＯＴＮ＿マックスポンダユニット１１のNW_PORT(LI_RX4）がPort種別:OTU1で、ＯＴＮ＿マックスポンダユニット１２のCL_Port(Port4)にＯＤＵ０でクロスコネクト接続されている。この接続は、ＯＤＵ０×１本のクロスコネクトである。
【００９７】
図１４は、フル状態からＯＤＵ０単位でクロスコネクト削除（ＤＬＴ）した状態のＯＴＮ＿マックスポンダユニット１１におけるスイッチ制御デバイス２２の接続状態の説明図である。図１５は、フル状態からＯＤＵ０単位でクロスコネクト削除した状態のＯＴＮ＿マックスポンダユニット１２におけるスイッチ制御デバイス２２の接続状態の説明図である。
【００９８】
図１４、図１５に示した状態では、図１４及び図１５の（１）に示したように、ＯＴＮ＿マックスポンダユニット１１のCL_PORT(CL_RX1）がPort種別:OTU1で、ＯＴＮ＿マックスポンダユニット１２のNW_PortにＯＤＵ０クロスコネクト接続しているパスの片方を削除する。
【００９９】
また、図１４及び図１５の（２）に示したように、ＯＴＮ＿マックスポンダユニット１１のCL_PORT(CL_RX2）がPort種別:OTU1で、ＯＴＮ＿マックスポンダユニット１２のNW_PortにODU0クロスコネクト接続しているパスの片方を削除する。
【０１００】
また、図１４及び図１５の（３）に示したように、ＯＴＮ＿マックスポンダユニット１１のCL_PORT(CL_RX3）がPort種別:OTU1で、ＯＴＮ＿マックスポンダユニット１２のNW_PortにODU0クロスコネクト接続しているパスの片方を削除する。
【０１０１】
また、図１４及び図１５の（４）に示したように、ＯＴＮ＿マックスポンダユニット１１のCL_PORT(CL_RX4）がPort種別:OTU1で、ＯＴＮ＿マックスポンダユニット１２のNW_PortにODU0クロスコネクト接続しているパスの片方を削除する。
【０１０２】
また、図１４及び図１５の（５）に示したように、ＯＴＮ＿マックスポンダユニット１１のNW_PORT(LI_RX1）が、ＯＴＮ＿マックスポンダユニット１２のCL_Port(Port1)にODU0クロスコネクト接続しているパスの片方を削除する。
【０１０３】
また、図１４及び図１５の（６）に示したように、ＯＴＮ＿マックスポンダユニット１１のNW_PORT(LI_RX2）が、ＯＴＮ＿マックスポンダユニット１２のCL_Port(Port2)にODU0クロスコネクト接続しているパスの片方を削除する。
【０１０４】
また、図１４及び図１５の（７）に示したように、ＯＴＮ＿マックスポンダユニット１１のNW_PORT(LI_RX3）が、ＯＴＮ＿マックスポンダユニット１２のCL_Port(Port3)にODU0クロスコネクト接続しているパスの片方を削除する。
【０１０５】
また、図１４及び図１５の（８）に示したように、 ＯＴＮ＿マックスポンダユニット１１のNW_PORT(LI_RX4）が、ＯＴＮ＿マックスポンダユニット１２のCL_Port(Port4)にODU0クロスコネクト接続しているパスの片方を削除する。
【０１０６】
図１６は、バックボード接続がフル状態となった場合のＯＴＮ＿マックスポンダユニット１１，１２における伝送路４０の状態の説明図である。図１６に示した状態は、図１２及び図１３に示した接続の結果であり、伝送路４０に含まれる８本の伝送路４０＿１〜４０＿８が全て使用されている。
【０１０７】
また、セルフユニットであるＯＴＮ＿マックスポンダユニット１１におけるクライアント用のＤＥＭＵＸ回路とバックボード用のＭＵＸ回路との接続、ネットワーク用のＤＥＭＵＸ回路とバックボード用のＭＵＸ回路との接続も全て使用されている。
【０１０８】
具体的には、ＯＴＮ＿マックスポンダユニット１１のCL_DMX_RX1からCL_DMX_RX8がBWB_MUX_TX1からBWB_MUX_TX8に接続され、NW_DMX_RX1からCL_DMX_RX8がBWB_MUX_TX9からBWB_MUX_TX16に接続されている。
【０１０９】
また、ペアユニットであるＯＴＮ＿マックスポンダユニット１２におけるバックボード用のＤＥＭＵＸ回路とネットワーク用のＭＵＸ回路との接続、バックボード用のＤＥＭＵＸ回路とクライアント用のＭＵＸ回路との接続も全て使用されている。
【０１１０】
具体的には、ＯＴＮ＿マックスポンダユニット１２のBWB_DMX_RX1からBWB_DMX_RX8がNW_MX_TX1からNW_MX_TX8に接続され、BWB_DMX_RX9からBWB_DMX_RX16がCL_MX_TX1からCL_MX_TX8に接続されている。
【０１１１】
図１７は、フル状態からＯＤＵ０単位でクロスコネクト削除した場合の伝送路４０の状態の説明図である。図１７に示した状態は、図１４及び図１５に示した接続の結果であり、伝送路４０に含まれる８本の伝送路４０＿１〜４０＿８が全て使用されている。
【０１１２】
セルフユニットであるＯＴＮ＿マックスポンダユニット１１におけるクライアント用のＤＥＭＵＸ回路とバックボード用のＭＵＸ回路との接続、及びネットワーク用のＤＥＭＵＸ回路とバックボード用のＭＵＸ回路との接続は、ＯＤＵ０単位で削除されている。
【０１１３】
具体的には、ＯＴＮ＿マックスポンダユニット１１では、CL_DMX_RX1とBWB_MUX_TX1とが接続され、CL_DMX_RX2とBWB_MUX_TX2とは接続されていない。また、CL_DMX_RX3とBWB_MUX_TX3とが接続され、CL_DMX_RX4とBWB_MUX_TX4とは接続されていない。また、CL_DMX_RX5とBWB_MUX_TX5とが接続され、CL_DMX_RX6とBWB_MUX_TX6とは接続されていない。また、CL_DMX_RX7とBWB_MUX_TX7とが接続され、CL_DMX_RX8とBWB_MUX_TX8とは接続されていない。
【０１１４】
また、ＯＴＮ＿マックスポンダユニット１１では、CL_DMX_RX9とNW_DMX_RX1とが接続され、CL_DMX_RX10とNW_DMX_RX2とは接続されていない。また、CL_DMX_RX11とNW_DMX_RX3とが接続され、CL_DMX_RX12とNW_DMX_RX4とは接続されていない。また、CL_DMX_RX13とNW_DMX_RX5とが接続され、CL_DMX_RX14とNW_DMX_RX6とは接続されていない。また、CL_DMX_RX15とNW_DMX_RX7とが接続され、CL_DMX_RX16とNW_DMX_RX8とは接続されていない。
【０１１５】
また、ペアユニットであるＯＴＮ＿マックスポンダユニット１２におけるバックボード用のＤＥＭＵＸ回路とネットワーク用のＭＵＸ回路との接続、及びバックボード用のＤＥＭＵＸ回路とネットワーク用のＭＵＸ回路との接続は、ＯＤＵ０単位で削除されている。
【０１１６】
具体的には、ＯＴＮ＿マックスポンダユニット１２では、BWB_DMX_RX1とNW_MX_TX1とが接続され、BWB_DMX_RX2とNW_MX_TX2とは接続されていない。また、BWB_DMX_RX3とNW_MX_TX3とが接続され、BWB_DMX_RX4とNW_MX_TX4とは接続されていない。また、BWB_DMX_RX5とNW_MX_TX5とが接続され、BWB_DMX_RX6とNW_MX_TX6とは接続されていない。また、BWB_DMX_RX7とNW_MX_TX7とが接続され、BWB_DMX_RX8とNW_MX_TX8とは接続されていない。
【０１１７】
同様に、ＯＴＮ＿マックスポンダユニット１２では、BWB_DMX_RX9とCL_MX_TX1とが接続され、BWB_DMX_RX10とCL_MX_TX2とは接続されていない。また、BWB_DMX_RX11とCL_MX_TX3とが接続され、BWB_DMX_RX12とCL_MX_TX4とは接続されていない。また、BWB_DMX_RX13とCL_MX_TX5とが接続され、BWB_DMX_RX14とCL_MX_TX6とは接続されていない。また、BWB_DMX_RX15とCL_MX_TX7とが接続され、BWB_DMX_RX16とCL_MX_TX8とは接続されていない。
【０１１８】
このように、ＯＤＵ０単位でクロスコネクトパスを削除した場合、バックボード側のＭＵＸ／ＤＥＭＵＸ回路に接続されているＯＤＵ０単位でクロスコネクトが切断されることになる。その際、伝送路４０の配線はＯＤＵ１（２．４Ｇ）×８本である為、図１４、図１５及び図１７に示したように、ＯＤＵ１単位で８本フルで接続されたままとなる。
【０１１９】
したがって、フル状態からＯＤＵ０単位でパスを削除すると、伝送路４０の容量は最大の２０Ｇに対して半分の１０Ｇした使用していないにもかかわらず、ＯＤＵ１×８本で伝送路４０の配線の全てが使用されることとなる。すなわち、伝送路４０には余剰があるにも関わらず、フル接続状態となる。
【０１２０】
この状態では、新たにバッグボード接続を張りたい場合は、BWB_MUX/DEMUX 回路のクロスコネクトを一時的に削除し、バックボート接続を効率的に使用するクロスコネクトを再度張りなおすこととなる。その場合、一時的にクロスコネクトを削除すると、主信号が遮断し、サービスに多大な影響を与える可能性がある。
【０１２１】
このため、光信号伝送装置１０は、ＯＴＮ＿マックスポンダ１１，１２の間でＯＤＵ０クロスコネクトが削除されるタイミングで、バックボード接続の状態を監視し、余剰状態となっているバックボート配線へ無瞬断でパスを置き換える。
【０１２２】
具体的には、クロスコネクト再接続制御部３４は、バックボート接続管理部３３にて管理しているバックボード接続情報３３が管理する情報を監視する。監視の結果、ＯＤＵ０×２本のパスがＯＤＵ０×１本となったタイミングで、クロスコネクト再接続制御部３４は、クロスコネクト接続形態解析部３２に対してブロードキャストクロスコネクト設定要求を行なう。加えて、クロスコネクト再接続制御部３４は、ＯＤＵ変換部２５内部のＯＤＵ＿ＭＵＸ／ＤＥＭＵＸ処理のセレクタに対して、切り替え制御を行なう。
【０１２３】
図１８は、クロスコネクト再接続制御部３４による処理の説明図である。図１８の状態は、図１６に示したフル接続の状態から２つのＯＤＵ０が削除された場合の処理についての説明である。
【０１２４】
図１６に示したフル状態から、まず、セルフユニットであるＯＴＮ＿マックスポンダ１１のCL_RX1からペアユニットであるＯＴＮ＿マックスポンダ１２のLI_TX1へのＯＤＵ０クロスコネクトを削除する（Ａ１）。次に、セルフユニットのCL_RX2からペアユニットのLI_TX2へのＯＤＵ０クロスコネクトを削除する（Ａ２）。この削除については、例えば操作者の指示に基づいて発生する。
【０１２５】
クロスコネクト再接続制御部３４は、Ａ２でＯＤＵ０クロスコネクトが削除されたタイミングで、他の伝送路の使用状況をバックボード接続管理部３２から取得し、ＯＤＵ０×１本となっている伝送路の情報を取得する（Ａ３）。図１８の例ではクロスコネクト再接続制御部３４はＢＷＢ＃１、即ち伝送路４０＿１がＯＤＵ０×１本となっていることを認識する。
【０１２６】
具体的には、バックボード接続管理部３２から取得した情報は、伝送路４０＿１（BWB#1）がＯＤＵ０×１本で使用中、伝送路４０＿２（BWB#2）がＯＤＵ０×２本からＯＤＵ０×１本に削除、伝送路４０＿３（BWB#3）がＯＤＵ０×２本で使用中である。同様に、伝送路４０＿４〜８（BWB#4〜8）はＯＤＵ０×２本で使用中である。
【０１２７】
クロスコネクト再接続制御部３４は、伝送路４０＿１（BWB#1）が余剰状態になっていることから、伝送路４０＿２（BWB#2）で使用しているパスを伝送路４０＿１BWB#1に移動する為、CL_DMX_RX3出力をBWB_MUX_TX2に対してブロードキャスト送信する（Ａ４）。
【０１２８】
具体的には、CL_DMX_RX3 とBWB_MUX_TX2との間でクロスコネクト接続を実施する。この時点ではCL_DMX_RX3 からBWB_MUX_TX3と、CL_DMX_RX3からBWB_MUX_TX2とで同じ信号がブロードキャスト送信されていることとなる。
【０１２９】
クロスコネクト再接続制御部３４は、ブロードキャスト送信した信号を、ODUk_MUX/DEMUX処理部の予備側に接続するため、BWB_DMX_RX2からNW_MX_TX3への接続を行なう（Ａ５）。この状態では接続は実施したが、NW_MX_TX3の受信処理として、BWB_DMX_RX3から入力される信号が選択されている。
【０１３０】
Ａ５の処理を実施後、クロスコネクト再接続制御部３４は、NW_MX_TX3のセレクタをBWB_DMX_RX3（現運用系）からBWB_DMX_RX2（現予備系）へ切替を実施する（Ａ６）。図１９は、セレクタの切替の説明図である。この切替によって、CL_RX2から入力された信号は、BWB#1を経由して、ペアユニット側にパスとして送信されることになる。
【０１３１】
セレクタの切り替えを行なった後、クロスコネクト再接続制御部３４は、これまで使用していたBWB#2のクロスコネクトを削除する（Ａ７）。この結果、伝送路４０＿１（BWB#1）はＯＤＵ０×１本から２本に追加、伝送路４０＿２（BWB#2）がＯＤＵ０×１本からＯＤＵ０×０本に削除、伝送路４０＿３（BWB#3）がＯＤＵ０×２本で使用中となる。同様に、伝送路４０＿４〜８（BWB#4〜8）はＯＤＵ０×２本で使用中となる。
【０１３２】
図２０は、クロスコネクト再接続制御部３４によるクロスコネクトの張り替えを行なった後の接続図である。クロスコネクト再接続制御部３４がクロスコネクトの張り替えを行なうことで、伝送路４０＿２（BWB#2）のパスが空く。このため、新たなバックボード接続のＯＤＵ０クロスコネクトまたはＯＤＵ１クロスコネクトを伝送路４０＿２（BWB#2）を用いて設定することが可能となる。また、かかる処理によって無瞬断でクロスコネクトを切り替えることが可能となる。
【０１３３】
したがって、図１６に示したフル接続状態から、図１４，図１５及び図１７を参照して説明したように、ＯＤＵ０単位でクロスコネクトの削除が行なわれた場合、クロスコネクト再接続制御部３４は、クロスコネクトの削除ごとに順次張り替えを行なうこととなる。
【０１３４】
図２１は、クロスコネクトの削除ごとに張り替えを行なう場合における接続状態の変化の説明図である。既に述べたように、CL_DMX_RX2とBWB_MUX_TX2との接続が断たれた後、CL_DMX_RX4とBWB_MUX_TX4との接続が断たれると、クロスコネクト再接続制御部３４は、CL_DMX_RX3の接続先をBWB_MUX_TX2に、NW_MX_TX3の接続先をBWB_DMX_RX2に張り替える。
【０１３５】
同様に、CL_DMX_RX6とBWB_MUX_TX6との接続が断たれた後、CL_DMX_RX8とBWB_MUX_TX8との接続が断たれると、クロスコネクト再接続制御部３４は、CL_DMX_RX7の接続先をBWB_MUX_TX6に、NW_MX_TX7の接続先をBWB_DMX_RX6に張り替える。
【０１３６】
また、NW_DMX_RX2とBWB_MUX_TX10との接続が断たれた後、NW_DMX_RX3とBWB_MUX_TX12との接続が断たれると、クロスコネクト再接続制御部３４は、NW_DMX_RX3の接続先をBWB_MUX_TX10に、CL_MX_TX3の接続先をBWB_DMX_RX10に張り替える。
【０１３７】
同様に、NW_DMX_RX6とBWB_MUX_TX14との接続が断たれた後、NW_DMX_RX8とBWB_MUX_TX16との接続が断たれると、クロスコネクト再接続制御部３４は、NW_DMX_RX7の接続先をBWB_MUX_TX14に、CL_MX_TX7の接続先をBWB_DMX_RX14に張り替える。
【０１３８】
図２２は、クロスコネクトの削除ごとに張り替えを行なった後の接続状態の説明図である。クロスコネクト再接続制御部３４による張り替えの結果、バックボード接続として伝送路４０＿２（BWB#2）、伝送路４０＿４（BWB#4）、伝送路４０＿６（BWB#6）、伝送路４０＿８（BWB#8）の合計１０Ｇ容量が空き状態となる。また、このクロスコネクトの張り直しは、無瞬断で行なうことができる。
【０１３９】
具体的には、バックボード接続の状態は、伝送路４０＿１（BWB#1）がＯＤＵ０×２本で使用中、伝送路４０＿２（BWB#2）がＯＤＵ０×２本からＯＤＵ０×０本に削除となる。また、伝送路４０＿３（BWB#3）がＯＤＵ０×２本で使用中、伝送路４０＿４（BWB#4）がＯＤＵ０×２本からＯＤＵ０×０本に削除となる。また、伝送路４０＿５（BWB#5）がＯＤＵ０×２本で使用中、伝送路４０＿６（BWB#6）がＯＤＵ０×２本からＯＤＵ０×０本に削除となる。また、伝送路４０＿７（BWB#7）がＯＤＵ０×２本で使用中、伝送路４０＿８（BWB#8）がＯＤＵ０×２本からＯＤＵ０×０本に削除となる。
【０１４０】
このように、クロスコネクト再接続制御部３４による再接続によって得られた空き容量は、新たなクロスコネクトの追加に使用することができる。図２３は、空き容量をＯＤＵ１クロスコネクトの追加接続に使用する場合についての説明図であり、図２４は、空き容量をＯＤＵ０クロスコネクトの追加接続に使用する場合についての説明図である。
【０１４１】
図２３は、新たにCL_RX5〜CL_RX8にOC48×４本のＯＤＵ１クロスコネクトを設定した場合の具体例を示している。この場合、使用していないセルフユニットのCL_Port5〜CL_Port8、ペアユニットのCL_Port1〜CL_Port4を種別：OC48で設定し、バックボード接続のクロスコネクトを実施する。
【０１４２】
具体的には、セルフユニットのCL_Port5（OC48）からペアユニットのCL_Port1（OC48）にＯＤＵ１クロスコネクト設定を行なう。クロスコネクト再接続制御部３４は、この接続に空き状態となっていた伝送路４０＿２（BWB#2）を使用する。
【０１４３】
また、セルフユニットのCL_Port6（OC48）からペアユニットのCL_Port2（OC48）にＯＤＵ１クロスコネクト設定を行なう。クロスコネクト再接続制御部３４は、この接続に空き状態となっていた伝送路４０＿４（BWB#4）を使用する。
【０１４４】
また、セルフユニットのCL_Port7（OC48）からペアユニットのCL_Port3（OC48）にＯＤＵ１クロスコネクト設定を行なう。クロスコネクト再接続制御部３４は、この接続に空き状態となっていた伝送路４０＿６（BWB#6）を使用する。
【０１４５】
また、セルフユニットのCL_Port8（OC48）からペアユニットのCL_Port4（OC48）にＯＤＵ１クロスコネクト設定を行なう。クロスコネクト再接続制御部３４は、この接続に空き状態となっていた伝送路４０＿８（BWB#8）を使用する。
【０１４６】
図２４は、新たにCL_RX5〜CL_RX8に１GBE×４本のＯＤＵ０クロスコネクトを設定した場合の具体例を示している。
【０１４７】
具体的には、セルフユニットのCL_Port5（1GBE）からペアユニットのCL_Port1（1GBE）にＯＤＵ０クロスコネクト設定を行なう。クロスコネクト再接続制御部３４は、この接続に空き状態となっていた伝送路４０＿２（BWB#2）を使用する。
【０１４８】
また、セルフユニットのCL_Port6（1GBE）からペアユニットのCL_Port2（1GBE）にＯＤＵ０クロスコネクト設定を行なう。クロスコネクト再接続制御部３４は、この接続に空き状態となっていた伝送路４０＿４（BWB#4）を使用する。
【０１４９】
また、セルフユニットのCL_Port7（1GBE）からペアユニットのCL_Port3にＯＤＵ０クロスコネクト設定を行なう。クロスコネクト再接続制御部３４は、この接続に空き状態となっていた伝送路４０＿６（BWB#6）を使用する。
【０１５０】
また、セルフユニットのCL_Port8（1GBE）からペアユニットのCL_Port4（1GBE）にＯＤＵ０クロスコネクト設定を行なう。クロスコネクト再接続制御部３４は、この接続に空き状態となっていた伝送路４０＿８（BWB#8）を使用する。
【０１５１】
図２５は、クロスコネクト再接続制御部３４の処理動作を説明するフローチャートである。クロスコネクト再接続制御部３４のバックボード接続監視部３５は、クロスコネクト削除要求の発生の有無を監視する（Ｓ１０１）。
【０１５２】
バックボード接続監視部３５は、クロスコネクト削除要求が発生しなければ（Ｓ１０２，Ｎｏ）、クロスコネクト削除要求監視（Ｓ１０１）を継続する。バックボード接続監視部３５は、クロスコネクト削除要求が発生した場合に（Ｓ１０２，Ｙｅｓ）、バックボード接続管理部３３からバックボードの接続状態を取得し（Ｓ１０３）、ＯＤＵ０×１本のパスが存在するか判定する（Ｓ１０４）。
【０１５３】
ＯＤＵ０×１本のパスが存在しなければ（Ｓ１０４，Ｎｏ）、クロスコネクト接続形態解析部３２がクロスコネクトの削除、すなわちステップＳ１０２で検出したクロスコネクトの削除を行なって（Ｓ１０９）、バックボード接続状態を更新し（Ｓ１１０）、処理を終了する。
【０１５４】
一方、ＯＤＵ０×１本のパスが存在する場合（Ｓ１０４，Ｙｅｓ）、ブロードキャスト設定部３６は、from側、すなわち信号の送信元のＯＴＮ＿マックスポンダユニットのスイッチ制御デバイスに対してブロードキャストの設定を行なう（Ｓ１０５）。ステップＳ１０５の後、ブロードキャスト設定部３６は、to側、すなわち信号の送信先のＯＴＮ＿マックスポンダユニットのスイッチ制御デバイスに対してブロードキャストの設定を行なう（Ｓ１０６）。
【０１５５】
セレクタ制御部３７は、from側とto側のブロードキャスト設定が完了した後、セレクタを切り替えて（Ｓ１０７）、バックボード接続を張り替える。セレクタ切替後、セレクタ制御部３７は、移動元のパスの削除要求を発行する（Ｓ１０８）。
【０１５６】
ステップＳ１０８の後、クロスコネクト接続形態解析部３２がクロスコネクトの削除、すなわちステップＳ１０２で検出したクロスコネクトの削除とクロスコネクト再接続制御部３４から要求されたクロスコネクトの削除を行なって（Ｓ１０９）、バックボード接続状態を更新し（Ｓ１１０）、処理を終了する。
【０１５７】
上述してきたように本実施例にかかる光信号伝送装置１は、バックボード接続の余剰パスを効率よく使用することができる。このため、本実施例にかかる光信号伝送装置１は、クロスコネクトのスイッチ容量を確保できる。また、本実施例にかかる光信号伝送装置１は、余剰パスを別サービスとして登録することが可能となる。
【０１５８】
また、本実施例にかかる光信号伝送装置１は、ブロードキャストの機能並びに各種ODU_MUX DEMUX回路側にセレクタ機能を設けることで、クロスコネクトを張替える際に主信号の遮断を抑制することができる。
【符号の説明】
【０１５９】
１０    光信号伝送装置
１１，１２    ＯＴＮ＿マックスポンダユニット
１３    装置監視制御部
２１    マッピング処理部
２２    スイッチ制御デバイス
２３    ネットワークインタフェース
２４    １０Ｇ光モジュール
２５    ＯＤＵ変換部
３１    ユーザインタフェース
３２    クロスコネクト接続形態解析部
３３    バックボード接続管理部
３４    クロスコネクト再接続制御部
３５    バックボード再接続監視部
３６    ブロードキャスト設定部
３７    セレクタ制御部
４０，４０＿１〜４０＿８    伝送路
４１，４２    クライアント信号
４３，４４    ネットワーク信号
５１    Descramble回路５１
５２    ＯＵＤ１受信部
５３    ＤＭＸ回路
５４，５５    ＯＵＤ０送信部
５６，５７    Scramble回路
６０    経路切替部６０
６１，６２    Descramble回路
６３，６４    ＯＵＤ０受信部
６５    ＭＵＸ回路６５
６６    ＯＵＤ１送信部
６７    Scramble回路
７１，７２    セレクタ
７３〜７６    位相吸収メモリ
【図１】
2011176619.tif 000003
【図２】
2011176619.tif 000004
【図３】
2011176619.tif 000005
【図４】
2011176619.tif 000006
【図５】
2011176619.tif 000007
【図６】
2011176619.tif 000008
【図７】
2011176619.tif 000009
【図８】
2011176619.tif 000010
【図９】
2011176619.tif 000011
【図１０】
2011176619.tif 000012
【図１１】
2011176619.tif 000013
【図１２】
2011176619.tif 000014
【図１３】
2011176619.tif 000015
【図１４】
2011176619.tif 000016
【図１５】
2011176619.tif 000017
【図１６】
2011176619.tif 000018
【図１７】
2011176619.tif 000019
【図１８】
2011176619.tif 000020
【図１９】
2011176619.tif 000021
【図２０】
2011176619.tif 000022
【図２１】
2011176619.tif 000023
【図２２】
2011176619.tif 000024
【図２３】
2011176619.tif 000025
【図２４】
2011176619.tif 000026
【図２５】
2011176619.tif 000027